(57)【要約】【課題】  大量の処理水に対応できるようにして浄水を大量に得ることができるようにする。【解決手段】  処理水を加熱蒸発させて水蒸気と残物とに分離させる分離空間Ｂと、分離空間を加熱する加熱手段７０と、分離空間で分離された水蒸気を凝縮して浄水にする凝縮空間Ｇと、凝縮空間Gで凝縮された浄水を取出す浄水取出部９０と、処理水を分離空間Ｂに送給する送給通路１００と、分離空間Ｂで分離された水蒸気を凝縮空間Ｇに供給する供給通路１１０とを備えた浄水装置Ｓにおいて、分離空間Ｂを構成し上部が供給通路１１０に連通する筒状の分離塔１と、分離空間Ｂと供給通路１１０との間に設けられ送給通路１００から送給される処理水を一時的に貯留するとともに分離空間Ｂで分離された水蒸気を流入させて供給通路１１０に至らしめる流通口部３１を有した処理水貯留槽３０と、処理水貯留槽３０の処理水を分離空間Ｂに散布する散布部４０とを備えて構成した。【選択図】図１
2009189959.tif 000002
【特許請求の範囲】
【請求項１】
処理水が送給され該送給された処理水を加熱蒸発させて水蒸気と残物とに分離させる分離空間と、該分離空間で分離された残物を取出す残物取出部と、該分離空間を加熱する加熱手段と、上記分離空間で分離された水蒸気を凝縮して浄水にする凝縮空間と、該凝縮空間で凝縮された浄水を取出す浄水取出部と、処理水を上記分離空間に送給する送給通路と、上記分離空間で分離された水蒸気を凝縮空間に供給する供給通路とを備えた浄水装置において、
上記分離空間を構成し上部が上記供給通路に連通し下部が上記残物取出部として構成される筒状の分離塔と、上記分離空間と上記供給通路との間に設けられ上記送給通路から送給される処理水を一時的に貯留するとともに上記分離空間で分離された水蒸気を流入させて上記供給通路に至らしめる流通口部を有した処理水貯留槽と、該処理水貯留槽の処理水を上記分離空間に散布する散布部とを備えて構成したことを特徴とする浄水装置。
【請求項２】
処理水が送給され該送給された処理水を加熱蒸発させて水蒸気と残物とに分離させる分離空間と、該分離空間で分離された残物を取出す残物取出部と、該分離空間を加熱する加熱手段と、上記分離空間で分離された水蒸気により作動させられる蒸気タービンと、該蒸気タービンから排出される水蒸気を凝縮して浄水にする凝縮空間と、該凝縮空間で凝縮された浄水を取出す浄水取出部と、処理水を上記分離空間に送給する送給通路と、上記分離空間で分離された水蒸気を上記蒸気タービンに供給する供給通路とを備えた浄水装置において、
上記分離空間を構成し上部が上記供給通路に連通し下部が上記残物取出部として構成されるとともに壁部に多数の孔部が形成された筒状の分離塔と、該分離塔の外側に設けられる筒状の外塔と、該外塔と上記分離塔との間に設けられ上記加熱手段によって加熱される加熱通路と、上記分離空間と上記供給通路との間に設けられ上記送給通路から送給される処理水を一時的に貯留し該貯留した処理水を上記分離空間に流出させるとともに上記分離空間で分離された水蒸気を流入させて上記供給通路に至らしめる流通口部を有した処理水貯留槽と、該処理水貯留槽の流通口部から流出された処理水を上記分離空間に散布する散布部と、上記供給通路から分岐し上記分離された水蒸気を上記加熱通路に送出させる送出通路とを備えて構成し、上記送出通路からの水蒸気を、上記分離塔の孔部から上記分離空間に噴出させるようにしたことを特徴とする請求項１記載の浄水装置。
【請求項３】
上記送出通路を、一端を上記供給通路から分岐し、他端を上記外塔の下端部に接続して形成したことを特徴とする請求項１または２記載の浄水装置。
【請求項４】
上記加熱手段を、高温の気体を発生させる気体発生装置と、該気体発生装置により発生させられた気体が流入される加熱管とを備えて構成し、該加熱管を、該加熱管の気体の入口が上記加熱通路の下端側に位置し、該加熱管の気体の出口が上記加熱通路の上端側に位置するように該加熱通路内に配設したことを特徴とする請求項１乃至３何れかに記載の浄水装置。
【請求項５】
上記分離塔の壁部を、リング状の複数の壁部単体を所定間隔で垂直方向に列設して構成し、上記孔部を、上記壁部単体間の間隙で形成し、上記加熱管を上記分離塔の周方向に沿って間隔を隔てて多数列設し、上記壁部単体を内側の加熱管に固定したことを特徴とする請求項１乃至４何れかに記載の浄水装置。
【請求項６】
上記処理水貯留槽の底部に貫通口を形成し、該貫通口の開口縁に上側に開放口を有した第一筒状体を設け、該第一筒状体の開放口に対峙する天板及び該天板から垂下し上記第一筒状体の外側面に対峙する第二筒状体を有したカップ状の覆体を設け、上記流通口部を、上記貫通口の第一筒状体及び第二筒状体で形成される流路で構成したことを特徴とする請求項１乃至５何れかに記載の浄水装置。
【請求項７】
上記天板に貫通孔を形成し、該貫通孔の開口縁に上側に開放口を有し上記流通口部から流通される水蒸気を上記供給通路に至らしめる筒状の蒸気通路管を設け、該蒸気通路管の内部に開度調整可能なダンパを設けたことを特徴とする請求項６記載の浄水装置。
【請求項８】
上記第一筒状体の外側に遊嵌し、該第一筒状体との間に処理水の隘路を形成する外側筒状体を設けたことを特徴とする請求項６または７記載の浄水装置。
【請求項９】
上記散布部を、上記処理水貯留槽の直下に設けられ、処理水を散布する多数の小口を有した板で構成したことを特徴とする請求項１乃至８何れかに記載の浄水装置。
【請求項１０】
上記送出通路に、上記供給通路から水蒸気を吸引する吸引ポンプを設けたことを特徴とする請求項１乃至９何れかに記載の浄水装置。
【請求項１１】
上記吸引ポンプを、上記蒸気タービンで駆動することを特徴とする請求項１０記載の浄水装置。
【請求項１２】
上記送給通路に上記処理水貯留槽に送給する処理水の水量を調節する水量調節装置を介装し、上記送給通路に上記水量調節装置で調節され上記処理水貯留槽に送給されない余剰の処理水を排出するリリーフ弁を設けたことを特徴とする請求項１乃至１１何れかに記載の浄水装置。
【請求項１３】
上記処理水貯留槽と上記供給通路との間に、該処理水貯留槽から発生する水蒸気を洗浄する蒸気洗浄部を設けたことを特徴とする請求項１乃至１２何れかに記載の浄水装置。
【請求項１４】
上記蒸気洗浄部を、浄水が供給されて一時的に貯留するとともに上記処理水貯留槽からの水蒸気を流出させて上記供給通路に至らしめる流通口部を有した洗浄槽で構成したことを特徴とする請求項１３記載の浄水装置。
【請求項１５】
上記洗浄槽を複数段設けたことを特徴とする請求項１４記載の浄水装置。
【請求項１６】
上記洗浄槽の底部に貫通口を形成し、該貫通口の開口縁に上側に開放口を有した第一筒状体を設け、該第一筒状体の開放口に対峙する天板及び該天板から垂下し上記第一筒状体の外側面に対峙する第二筒状体を有したカップ状の覆体を設け、上記流通口部を、上記貫通口の第一筒状体及び第二筒状体で形成される流路で構成したことを特徴とする請求項１３乃至１５何れかに記載の浄水装置。
【請求項１７】
上記凝縮空間の前位に上記分離空間で分離された水蒸気により作動させられる蒸気タービンを備え、該蒸気タービンと上記凝縮空間との間に、上記蒸気タービンからの蒸気が吹き込まれ浄水が入れられた浄水の循環タンクを設け、該循環タンクを負圧にして蒸気を生じさせ上記凝縮空間に供給する負圧ポンプを備えたことを特徴とする請求項１乃至１６何れかに記載の浄水装置。
【発明の詳細な説明】
【技術分野】
【０００１】
本発明は、処理水として、例えば、海水や湖水等あるいは洗濯水等の汚水を用い、これを加熱蒸発させて水蒸気と残物とに分離し、その後、水蒸気を凝縮させて処理水から浄水を取り出す浄水装置に関する。
【背景技術】
【０００２】
従来、この種の浄水装置としては、例えば、特許文献１（特開平１１−６２５１３号公報）に記載されたものが知られている。
これは、図８に示すように、処理水が送給され送給された処理水を加熱蒸発させて水蒸気と残物とに分離させる分離空間Ｂと、分離空間Ｂで分離された残物を取出す残物取出部６０と、分離空間Ｂを加熱する加熱手段７０と、分離空間Ｂで分離された水蒸気により作動させられる蒸気タービン８０と、蒸気タービン８０から排出される水蒸気を凝縮して浄水にする凝縮空間Ｇと、凝縮空間Ｇで凝縮された浄水を取出す浄水取出部９０と、処理水を分離空間Ｂに送給する送給通路１００と、分離空間Ｂで分離された水蒸気を蒸気タービン８０に供給する供給通路１１０とを備えてなる。送給通路１００は、分離空間Ｂ内及び凝縮空間Ｇ内を通過して設けられている。また、処理水として海水を用い、海水から浄水を得るようにしている。
【０００３】
処理水は、送給通路１００を通って分離空間Ｂに送給され、加熱手段７０によって加熱させられた分離空間Ｂにおいて、加熱蒸発されて水蒸気と残物とに分離される。その後、水蒸気は、供給通路１１０を通って蒸気タービン８０に供給され、蒸気タービン８０を作動させて排出される。排出された水蒸気は、凝縮空間Ｇに送られて凝縮され復水する。凝縮空間Ｇには、送給通路１００が通っており、この送給通路１００内を低温の処理水が通っているので、この処理水と水蒸気とが熱交換させられて、水蒸気は冷却凝縮され復水する。このときの水蒸気は残物を含まない蒸気なので、復水した水は浄水となる。この浄水を、浄水取出部９０から取り出している。また、分離された残物は、分離空間Ｂにおいて冷却される。分離空間Ｂには、送給通路１００が通っており、この送給通路１００内を低温の処理水が通っているので、この処理水と分離された残物とが熱交換させられて、残物は冷却される。このときの残物は、高濃度の塩水であるので、冷却された塩水は、みぞれ状の塩水となる。この残物を、残物取出部６０から取り出している。
【０００４】
【特許文献１】特開平１１−６２５１３号公報
【発明の開示】
【発明が解決しようとする課題】
【０００５】
しかしながら、この従来の浄水装置においては、処理水が直接分離空間Ｂに送給されており、分離空間Ｂにおいて分離できる処理水の量には限界があるため、大量の処理水を送給できず、そのため、浄水を大量に得られないという問題があった。
【０００６】
本発明は、このような問題点に鑑みてなされたもので、大量の処理水に対応できるようにして浄水を大量に得ることができるようにした浄水装置を提供することを目的とする。
【課題を解決するための手段】
【０００７】
このような目的を達成するため、本発明の浄水装置は、処理水が送給され該送給された処理水を加熱蒸発させて水蒸気と残物とに分離させる分離空間と、該分離空間で分離された残物を取出す残物取出部と、該分離空間を加熱する加熱手段と、上記分離空間で分離された水蒸気を凝縮して浄水にする凝縮空間と、該凝縮空間で凝縮された浄水を取出す浄水取出部と、処理水を上記分離空間に送給する送給通路と、上記分離空間で分離された水蒸気を凝縮空間に供給する供給通路とを備えた浄水装置において、上記分離空間を構成し上部が上記供給通路に連通し下部が上記残物取出部として構成される筒状の分離塔と、上記分離空間と上記供給通路との間に設けられ上記送給通路から送給される処理水を一時的に貯留するとともに上記分離空間で分離された水蒸気を流入させて上記供給通路に至らしめる流通口部を有した処理水貯留槽と、該処理水貯留槽の処理水を上記分離空間に散布する散布部とを備えた構成としている。
【０００８】
これにより、処理水は、送給通路を通過して処理水貯留槽に一時的に貯留される。この処理水貯留槽では、分離空間で分離された水蒸気が流入され、この水蒸気によって貯留された処理水が加熱される。加熱された処理水は一部の処理水が水蒸気となって供給通路に至らしめられ、貯留された処理水に分離空間から流入された水蒸気も処理水内を通って供給通路に至らしめられるので、供給通路に流出される水蒸気の量が増加する。供給通路に至らしめられた水蒸気は、凝縮空間に送られ、この凝縮空間で凝縮されて復水する。凝縮空間に送られる水蒸気は、残物を含まない蒸気であるので、復水した水は浄水となる。この浄水を、浄水取出部から取り出すことにより、処理水から浄水を得ることができる。また、供給通路を通過する水蒸気は、処理水貯留槽においてその量が増加させられているので、凝縮空間に供給される水蒸気の量が増加し、そのため、浄水を大量に得ることができる。
【０００９】
一方、処理水貯留槽において、水蒸気とならずに貯留されたままの処理水は、散布部によって、水滴状になって分離空間に散布される。散布された処理水は、加熱手段によって加熱された分離空間において加熱される。加熱された処理水は、水蒸気と残物とに分離される。
【００１０】
分離された水蒸気は、上昇していき、処理水貯留槽に貯留されている処理水に流入される。また、分離された残物は、分離塔の下部に形成される残物取出部に向けて降下していき、残物取出部に溜まるようになる。この残物を残物取出部から取り出している。
【００１１】
そして、必要に応じ、処理水が送給され該送給された処理水を加熱蒸発させて水蒸気と残物とに分離させる分離空間と、該分離空間で分離された残物を取出す残物取出部と、該分離空間を加熱する加熱手段と、上記分離空間で分離された水蒸気により作動させられる蒸気タービンと、該蒸気タービンから排出される水蒸気を凝縮して浄水にする凝縮空間と、該凝縮空間で凝縮された浄水を取出す浄水取出部と、処理水を上記分離空間に送給する送給通路と、上記分離空間で分離された水蒸気を上記蒸気タービンに供給する供給通路とを備えた浄水装置において、上記分離空間を構成し上部が上記供給通路に連通し下部が上記残物取出部として構成されるとともに壁部に多数の孔部が形成された筒状の分離塔と、該分離塔の外側に設けられる筒状の外塔と、該外塔と上記分離塔との間に設けられ上記加熱手段によって加熱される加熱通路と、上記分離空間と上記供給通路との間に設けられ上記送給通路から送給される処理水を一時的に貯留し該貯留した処理水を上記分離空間に流出させるとともに上記分離空間で分離された水蒸気を流入させて上記供給通路に至らしめる流通口部を有した処理水貯留槽と、該処理水貯留槽の流通口部から流出された処理水を上記分離空間に散布する散布部と、上記供給通路から分岐し上記分離された水蒸気を上記加熱通路に送出させる送出通路とを備えて構成し、上記送出通路からの水蒸気を、上記分離塔の孔部から上記分離空間に噴出させるようにした構成としている。
【００１２】
これにより、処理水は、送給通路を通過して処理水貯留槽に一時的に貯留される。この処理水貯留槽では、分離空間で分離された水蒸気が流入され、この水蒸気によって貯留された処理水が加熱される。加熱された処理水は一部の処理水が水蒸気となって供給通路に至らしめられ、貯留された処理水に分離空間から流入された水蒸気も処理水内を通って供給通路に至らしめられるので、供給通路に流出される水蒸気の量が増加する。供給通路に至らしめられた水蒸気は、供給通路を通過して蒸気タービンに供給され、この水蒸気によって蒸気タービンは作動させられる。蒸気タービンで排出された水蒸気は、凝縮空間に送られ、この凝縮空間で凝縮されて復水する。凝縮空間に送られる水蒸気は、残物を含まない蒸気であるので、復水した水は浄水となる。この浄水を、浄水取出部から取り出すことにより、処理水から浄水を得ることができる。また、供給通路を通過する水蒸気は、処理水貯留槽においてその量が増加させられているので、凝縮空間に供給される水蒸気の量が増加し、そのため、浄水を大量に得ることができる。
【００１３】
また、送出通路は、供給通路から分岐しているので、供給通路を通過している水蒸気は、送出通路も通過するようになる。このとき、処理水貯留槽において、水蒸気の量が増加させられているので、水蒸気が、供給通路と送出通路とに分岐して通過しても蒸気タービンを確実に作動させることができる。送出通路を通過した水蒸気は、加熱通路に送出される。加熱通路は、加熱手段により加熱させられ、送出通路から送出された水蒸気は、この加熱通路において、加熱手段によって加熱される。分離塔には、その壁部に多数の孔部が形成されているので、この孔部から加熱通路で加熱された水蒸気が分離空間に噴出される。
【００１４】
一方、処理水貯留槽において、水蒸気とならずに貯留されたままの処理水は、流通口部から分離空間に流出される。このとき、流通口部から流出された処理水は、散布部によって、水滴状になって分離空間に散布される。
【００１５】
散布された処理水は、加熱通路から噴出される水蒸気と熱交換して加熱される。加熱された処理水は、水蒸気と残物とに分離される。
分離された水蒸気は、上昇していき、処理水貯留槽に貯留されている処理水に流入される。また、分離空間に噴出された水蒸気は、処理水と熱交換して処理水貯留槽に流入される。このように、分離空間及び処理水貯留槽で処理水と熱交換して低温となった水蒸気は、供給通路及び送出通路を通過して加熱通路に送出され、この加熱通路において加熱されて分離空間に噴射される。即ち、水蒸気は、分離空間，供給通路，送出通路及び加熱通路を循環するようになり、この循環によって、水蒸気の加熱及びこの加熱された水蒸気と処理水との熱交換が繰り返される。
そして、分離された残物は、分離塔の下部に形成される残物取出部に向けて降下していく。この降下中も残物と水蒸気との熱交換が行なわれる。噴出された水蒸気は、その熱量が高いので、最後には処理水から水分が除去され、粒状あるいは泥状の残物となる。これを、残物取出部から取り出している。
【００１６】
また、供給通路を通過する水蒸気の量が増加するので、分離空間に大量の水蒸気を噴出させることができ、そのため、処理水を分離空間に大量に送給しても処理水を分離することができるので、浄水を大量に得ることができる。
【００１７】
また、必要に応じ、上記送出通路を、一端を上記供給通路から分岐し、他端を上記外塔の下端部に接続して形成した構成としている。これにより、送出通路を通過している水蒸気は、外塔の内側に設けられた加熱通路に送出され、加熱通路の下端側から上端側に向けて上昇していくようになるので、加熱通路から分離空間に噴出される水蒸気は、分離空間において、下側から吹き上げるようになる。即ち、分離空間において、水蒸気と処理水との進行方向が逆になるので、水蒸気と処理水との熱交換効率を向上させることができる。また、水蒸気を吹き上げているので、その風圧により、処理水の降下速度が遅くなるとともに処理水がより細分化されるので、この点でも、水蒸気と処理水との熱交換効率を向上させることができる。
【００１８】
更に、必要に応じ、上記加熱手段を、高温の気体を発生させる気体発生装置と、該気体発生装置により発生させられた気体が流入される加熱管とを備えて構成し、該加熱管を、該加熱管の気体の入口が上記加熱通路の下端側に位置し、該加熱管の気体の出口が上記加熱通路の上端側に位置するように該加熱通路内に配設した構成としている。これにより、気体発生装置で発生させられた気体は、加熱管の気体の入口から流入され、水蒸気と熱交換を行ないながら、加熱通路の下端側から上端側に向けて上昇していく。加熱管に気体を流入させることにより、気体と水蒸気とが混合することなく熱交換を行なうことができるようになる。そして、気体の出口は加熱通路の上端側に位置しているので、気体の出口から流出した気体は、処理水貯留槽を加熱するようになる。
【００１９】
更にまた、必要に応じ、上記分離塔の壁部を、リング状の複数の壁部単体を所定間隔で垂直方向に列設して構成し、上記孔部を、上記壁部単体間の間隙で形成し、上記加熱管を上記分離塔の周方向に沿って間隔を隔てて多数列設し、上記壁部単体を内側の加熱管に固定した構成としている。これにより、孔部と加熱管とで小孔が形成され、この小孔から水蒸気が噴出させられるので、噴出圧力が高くなり、そのため、分離空間での水蒸気と処理水との熱交換効率が向上される。また、分離塔の壁部を平面状に形成し、この壁部に孔部を多数設けた場合と比較して、分離塔の製造が容易になるとともにコストが低減される。更に、壁部単体を内側の加熱管に固定したので、分離塔の加熱がより確実に行なわれるようになる。
【００２０】
そしてまた、必要に応じ、上記処理水貯留槽の底部に貫通口を形成し、該貫通口の開口縁に上側に開放口を有した第一筒状体を設け、該第一筒状体の開放口に対峙する天板及び該天板から垂下し上記第一筒状体の外側面に対峙する第二筒状体を有したカップ状の覆体を設け、上記流通口部を、上記貫通口の第一筒状体及び第二筒状体で形成される流路で構成している。これにより、送給通路から送給された処理水は、処理水貯留槽に貯留され、第一筒状体の外側面と第二筒状体の内側面との間を通過し、第一筒状体の上側から第一筒状体の内部を通過して分離空間に送られる。即ち、第一筒状体及び第二筒状体で形成される流路を通過した処理水のみが分離空間に送られるので、常に、一定量の処理水が分離空間に送られるようになる。また、分離空間から流入される水蒸気も第一筒状体及び第二筒状体で形成される流路を通過するようになるので、水蒸気が確実に貯留された処理水内を通るようになり、処理水貯留槽において、水蒸気と処理水との熱交換が確実に行なわれるようになる。
【００２１】
また、必要に応じ、上記天板に貫通孔を形成し、該貫通孔の開口縁に上側に開放口を有し上記流通口部から流通される水蒸気を上記供給通路に至らしめる筒状の蒸気通路管を設け、該蒸気通路管の内部に開度調整可能なダンパを設けた構成としている。これにより、分離空間から処理水貯留槽に流入された水蒸気は、蒸気通路管を通過して供給通路に送られるようになる。ダンパが開のときは、分離空間から流入される水蒸気は、貯留されている処理水を通らずに蒸気通路管の開放口から供給通路に送られる。この場合、例えば、処理水として塩水を用いた場合には、貯留されている処理水内を水蒸気が通過すると、塩化物以外のミネラル成分が除去されるが、ダンパを通すことで蒸気に塩化物以外のミネラル成分を混入させることができる。また、ダンパが閉のときは、分離空間から流入される水蒸気は、第一筒状体及び第二筒状体で形成される流路を通過するようになるので、水蒸気と処理水との熱交換が行なわれるようになり、そのため、供給通路での水蒸気の量を増加させることができる。このように、処理水として用いる水によって、分離された水蒸気の通路を変えることができるので、装置の汎用性を向上させることができる。
【００２２】
更に、必要に応じ、上記第一筒状体の外側に遊嵌し、該第一筒状体との間に処理水の隘路を形成する外側筒状体を設けた構成としている。これにより、処理水貯留槽に貯留されている処理水は、第一筒状体と外側筒状体とで形成される隘路を通過して分離空間に流出されるようになるので、常時一定量の処理水を分離空間に流出することができる。
【００２３】
更にまた、必要に応じ、上記散布部を、上記処理水貯留槽の直下に設けられ、処理水を散布する多数の小口を有した板で構成している。これにより、処理水貯留槽から送られる処理水を確実に散布部で散布できるようになる。また、多数の小口を設けたので、散布される処理水は、水滴状になり、水蒸気と接する面積が大きくなるので、それだけ、水蒸気と処理水との熱交換効率が向上される。
【００２４】
そして、また、必要に応じ、上記送出通路に、上記供給通路から水蒸気を吸引する吸引ポンプを設けた構成としている。これにより、供給通路から送出通路に確実に水蒸気を通過させることができる。
【００２５】
また、必要に応じ、上記吸引ポンプを、上記蒸気タービンで駆動する構成としている。これにより、供給通路を通過した水蒸気は、蒸気タービンに供給され、この水蒸気によって、蒸気タービンは作動させられる。この蒸気タービンの作動により、吸引ポンプが駆動させられて、供給通路から水蒸気を吸引し、送出通路に水蒸気が送られる。即ち、例えば、吸引ポンプの外部にモータを設ける等して、蒸気タービンと吸引ポンプとを別に夫々作動させた場合、吸引ポンプの吸引力によっては、必要以上に送出通路に水蒸気が吸引されることがあり、そのため、蒸気タービンに供給される水蒸気の量が減少して、蒸気タービンの効率が低減することがあるが、蒸気タービンと吸引ポンプとを連動させると、蒸気タービンによって吸引ポンプが駆動させられるので、確実に蒸気タービンの効率を維持することができる。また、吸引ポンプの外部にモータを設けた場合と比較して、装置を比較的簡易に構成することができる。
【００２６】
更に、必要に応じ、上記送給通路に上記処理水貯留槽に送給する処理水の水量を調節する水量調節装置を介装し、上記送給通路に上記水量調節装置で調節され上記処理水貯留槽に送給されない余剰の処理水を排出するリリーフ弁を設けた構成としている。これにより、処理水貯留槽に適量の処理水を送給することができるので、処理水貯留槽から処理水が溢水することがない。
【００２７】
更にまた、必要に応じ、上記処理水貯留槽と上記供給通路との間に、該処理水貯留槽から発生する水蒸気を洗浄する蒸気洗浄部を設けた構成としている。これにより、処理水貯留槽の処理水が洗剤等の泡を発生する成分を含む場合、この泡を発生する成分を洗浄できるので、水蒸気を綺麗にすることができる。
【００２８】
そして、また、必要に応じ、上記蒸気洗浄部を、浄水が供給されて一時的に貯留するとともに上記処理水貯留槽からの水蒸気を流出させて上記供給通路に至らしめる流通口部を有した洗浄槽で構成している。これにより、洗浄槽では、処理水貯留槽で発生された水蒸気が流入され、この水蒸気によって貯留された浄水が加熱されるとともに、貯留された浄水によって水蒸気が洗浄される。加熱された浄水は一部の浄水が水蒸気となって供給通路に至らしめられ、貯留された浄水に処理水貯留槽から流入された水蒸気も浄水内を通って供給通路に至らしめられるので、供給通路に流出される水蒸気の量が増加する。即ち、供給通路には、洗浄された綺麗な大量の水蒸気が流出されるので、大量の浄水を得ることができる。
【００２９】
また、必要に応じ、上記洗浄槽を複数段設けた構成としている。これにより、水蒸気がより洗浄され、より綺麗な水蒸気にすることができる。
更に、必要に応じ、上記洗浄槽の底部に貫通口を形成し、該貫通口の開口縁に上側に開放口を有した第一筒状体を設け、該第一筒状体の開放口に対峙する天板及び該天板から垂下し上記第一筒状体の外側面に対峙する第二筒状体を有したカップ状の覆体を設け、上記流通口部を、上記貫通口の第一筒状体及び第二筒状体で形成される流路で構成している。これにより、処理水貯留槽から流入される水蒸気は、第一筒状体及び第二筒状体で形成される流路を通過するようになるので、水蒸気が確実に貯留された浄水内を通るようになり、洗浄槽において、水蒸気と浄水との熱交換及び水蒸気の洗浄が確実に行なわれるようになる。
【００３０】
更にまた、必要に応じ、上記凝縮空間の前位に上記分離空間で分離された水蒸気により作動させられる蒸気タービンを備え、該蒸気タービンと上記凝縮空間との間に、上記蒸気タービンからの蒸気が吹き込まれ浄水が入れられた浄水の循環タンクを設け、該循環タンクを負圧にして蒸気を生じさせ上記凝縮空間に供給する負圧ポンプを備えた構成としている。これにより、循環タンクには、浄水が貯留されているので、水蒸気により浄水が加熱蒸発させられて一部の浄水が水蒸気となり、負圧ポンプによって吸引されて凝縮空間に送られる。そのため、負圧沸騰により水蒸気の量が増加する。また、蒸気タービンの出力も増加させられる。
【発明の効果】
【００３１】
本発明の浄水装置によれば、処理水が送給され送給された処理水を加熱蒸発させて水蒸気と残物とに分離させる分離空間と、分離空間で分離された水蒸気を凝縮して浄水にする凝縮空間と、分離空間で分離された水蒸気を凝縮空間に供給する供給通路と、分離空間と供給通路との間に設けられ送給通路から送給される処理水を一時的に貯留するとともに分離空間で分離された水蒸気を流入させて供給通路に至らしめる処理水貯留槽とを備えて構成したので、処理水貯留槽において、貯留された処理水が分離空間から流入される水蒸気によって加熱されて蒸気化した水蒸気と、分離空間から流入された水蒸気とが供給通路に至らしめられるので、供給通路に送られる水蒸気の量が増加する。供給通路の水蒸気は凝縮空間に送られ凝縮されて復水する。凝縮空間に送られる水蒸気は、残物を含まない蒸気であるので、復水した水は浄水となる。この浄水を、浄水取出部から取り出すことにより、処理水から浄水を得ることができる。また、供給通路を通過する水蒸気は、処理水貯留槽においてその量が増加させられているので、凝縮空間に供給される水蒸気の量が増加し、そのため、浄水を大量に得ることができる。
【発明を実施するための最良の形態】
【００３２】
以下、添付図面に基づいて本発明の第一の実施の形態に係る浄水装置を説明する。尚、上記と同様のものには同一の符号を付して説明する。第一の実施の形態においては、処理水として塩水を用い、塩水を水蒸気と残物としての塩とに分離し、その後、水蒸気を凝縮して浄水を得ている。
図１乃至図４には、本発明の第一の実施の形態に係る浄水装置Ｓを示している。本装置Ｓは、処理水が送給され送給された処理水を加熱蒸発させて水蒸気と残物とに分離させる分離空間Ｂと、分離空間Ｂで分離された残物を取出す残物取出部６０と、分離空間Ｂを加熱する加熱手段７０と、分離空間Ｂで分離された水蒸気により作動させられる蒸気タービン８０と、蒸気タービン８０から排出される水蒸気を凝縮して浄水にする凝縮空間Ｇと、凝縮空間Ｇで凝縮された浄水を取出す浄水取出部９０と、処理水を分離空間Ｂに送給する送給通路１００と、分離空間Ｂで分離された水蒸気を蒸気タービン８０に供給する供給通路１１０とを備え、分離空間Ｂで分離した水蒸気を凝縮させて、処理水から浄水を得るものである。
【００３３】
詳しくは、分離空間Ｂを構成し上部が供給通路１１０に連通し下部が残物取出部６０として構成されるとともに壁部２に多数の孔部３が形成された筒状の分離塔１と、分離塔１の外側に設けられる筒状の外塔１０と、外塔１０と分離塔１との間に設けられ加熱手段７０によって加熱される加熱通路２０と、分離空間Ｂと供給通路１１０との間に設けられ送給通路１００から送給される処理水を一時的に貯留し貯留した処理水を分離空間Ｂに流出させるとともに分離空間Ｂで分離された水蒸気を流入させて供給通路１１０に至らしめる流通口部３１を有した処理水貯留槽３０と、処理水貯留槽３０の流通口部３１から流出された処理水を分離空間Ｂに散布する散布部４０と、供給通路１１０から分岐し分離された水蒸気を加熱通路２０に送出させる送出通路５０とを備え、送出通路５０からの水蒸気を、分離塔１の孔部３から分離空間Ｂに噴出させるようにしている。
【００３４】
分離塔１は、図１乃至図３に示すように、円筒状に形成され、残物取出部６０として構成される下部６がロート状に形成されている。この分離塔１は、その内部が分離空間Ｂとして構成されている。また、分離塔１の壁部２は、リング状の複数の壁部単体４で構成され、この壁部単体４を所定間隔で垂直方向に列設してなる。壁部単体４間の間隙で孔部３を形成している。この壁部単体４は、後述の加熱管７２に固定されている。また、壁部単体４と加熱管７２とにより小孔７が形成されている。
外塔１０は、図１乃至図３に示すように、円筒状に形成され、分離塔１の外側に、分離塔１と同軸に設けられている。
図１中、符号１３は、外塔１０を地面に対して支持する脚部である。
【００３５】
また、残物取出部６０は、図１に示すように、ロート状に形成された受け体６１と、受け体６１の先端に形成される小径の残物取出口６２とを備えて構成されている。残物取出口６２は、外塔１０の底壁１１から突出して形成されている。この残物取出部６０には、残物取出口６２に集束される残物を確実に取り出すためのネジ型ポンプ６３が設けられている。
【００３６】
加熱通路２０は、図１乃至図３に示すように、分離塔１と外塔１０との間に設けられ、上端２１に、加熱手段７０により加熱させられた熱を外塔１０外に排出する排出口２２が設けられている。加熱手段７０は、高温の気体を発生させる気体発生装置７１と、気体発生装置７１により発生させられた気体が流入される加熱管７２とを備えて構成されている。気体発生装置７１は、例えば、バーナー等で構成され、この気体発生装置７１で発生させられた気体は、加熱管７２に流入される。加熱管７２は、気体の入口７３が加熱通路２０の下端２３側に位置し、気体の出口７４が加熱通路２０の上端２１側に位置するように加熱通路２０内に配設されている。この加熱管２０は、分離塔１の周方向に沿って間隔を隔てて多数列設され、内側の加熱管７２に壁部単体４が固定されている。また、加熱管７２の気体の出口７４近傍に、加熱通路２０の排出口２２が設けられている。
【００３７】
処理水貯留槽３０は、図１及び図４に示すように、円柱状に形成され、分離塔１の上部５に、分離塔１と同軸に設けられ、上側が供給通路１１０に連通されている。この処理水貯留槽３０は、その底部３２に貫通口３３が形成され、この貫通口３３の開口縁３４に上側に開放口３５を有した第一筒状体３６が設けられ、第一筒状体３６の開放口３５に対峙する天板３７及び天板３７から垂下し第一筒状体３６の外側面に対峙する第二筒状体３８を有したカップ状の覆体３９が設けられている。また、流通口部３１は、貫通口３３の第一筒状体３６及び第二筒状体３８で形成される流路で構成されている。更に、この処理水貯留槽３０の外周には、加熱通路２０が設けられている。
【００３８】
また、この処理水貯留槽３０に処理水を送給する送給通路１００には、図１に示すように、処理水の水量を調節する水量調節装置１０１が介装されている。また、この送給通路１００には、水量調節装置１０１で調節され、処理水貯留槽３０に送給されない余剰の処理水を排出するリリーフ弁１０２が設けられている。更に、この送給通路１００は、凝縮空間Ｇ内を通過して設けられている。凝縮空間Ｇ内には、図１に示すように、送給通路１００を構成する複数の送給管１０３が設けられており、処理水は、この送給管１０３を通して送給されている。また、凝縮空間Ｇの下方部１０４には、凝縮した浄水を取り出す浄水取出部９０が設けられている。
【００３９】
散布部４０は、図１に示すように、処理水貯留槽３０の直下に設けられ、処理水を散布する多数の小口４１を有した板で構成されている。
【００４０】
送出通路５０は、図１に示すように、一端５１が供給通路１１０から分岐し、他端５２が外塔１０の下端部１２に接続されて加熱通路２０に連通されている。また、この送出通路５０には、供給通路１１０から水蒸気を吸引する吸引ポンプ５３が設けられている。この吸引ポンプ５３は、蒸気タービン８０に接続され、蒸気タービン８０によって駆動させられる。
【００４１】
従って、この第一の実施の形態に係る浄水装置Ｓを用いて、処理水から浄水を得るときは、以下のようにする。
処理水を、送給通路１００を通過させて分離空間Ｂに送給する。分離塔１の上部５には処理水貯留槽３０が設けられているので、送給された処理水は、処理水貯留槽３０に一時的に貯留される。このとき、処理水は、凝縮空間Ｇ内の複数の送給管１０３を通過するので、凝縮空間Ｇにおいて、蒸気タービン８０から排出される水蒸気と熱交換して、その温度が高くなる。また、送給通路１００に介装された水量調節装置１０１により、処理水貯留槽３０に送給される処理水の量が調節されるので、処理水貯留槽３０に適量の処理水を送給することができ、そのため、処理水貯留槽３０から処理水が溢水することがない。また、水量調節装置１０１で調節されて、処理水貯留槽３０に送給されない処理水は、リリーフ弁１０２によって排出される。
【００４２】
処理水貯留槽３０では、分離空間Ｂで分離された水蒸気が流入され、この水蒸気によって貯留された処理水が加熱される。このとき、水蒸気は、処理水貯留槽３０の第一筒状体３６及び第二筒状体３８で形成される流路を通過するので、水蒸気が確実に貯留された処理水内を通るようになり、処理水貯留槽３０において、水蒸気と処理水との熱交換が確実に行なわれるようになる。また、処理水貯留槽３０は、分離塔１の上部５に設けられているので、加熱通路２０によっても加熱される。加熱通路２０は、加熱手段７０によって加熱され、加熱された加熱通路２０によって分離塔１及び処理水貯留槽３０が加熱される。詳しくは、気体発生装置７１で発生させられた気体は、加熱管７２の気体の入口７３から流入され、加熱通路２０内の水蒸気と熱交換を行ないながら、加熱通路２０の下端２３側から上端２１側に向けて上昇していく。そして、気体の出口７４は加熱通路２０の上端２１側に位置しているので、気体の出口７４から流出した気体は、処理水貯留槽３０を加熱するようになる。また、処理水貯留槽３０には、凝縮空間Ｇで加熱された処理水が送給されているので、処理水貯留槽３０での水蒸気と処理水との熱交換効率が向上される。
【００４３】
処理水貯留槽３０で加熱された処理水は一部の処理水が水蒸気となって供給通路１１０に至らしめられ、分離空間Ｂから処理水貯留槽３０に貯留された処理水に流入された水蒸気も処理水内を通って供給通路１１０に至らしめられるので、供給通路１１０に送られる水蒸気の量が増加する。供給通路１１０に至らしめられた水蒸気は、供給通路１１０を通過して蒸気タービン８０に供給され、この水蒸気によって蒸気タービン８０は作動させられる。蒸気タービン８０の作動により、動力を得ることができるとともに、送出通路５０に設けられた吸引ポンプ５３が駆動させられる。そして、蒸気タービン８０で排出された水蒸気は、凝縮空間Ｇに送られ、この凝縮空間Ｇで凝縮されて復水する。詳しくは、凝縮空間Ｇ内に設けられている送給管１０３内を通過している低温の処理水と蒸気タービン８０から排出された水蒸気とが熱交換を行なって、水蒸気は冷却凝縮される。凝縮空間Ｇに送られる水蒸気は、残物を含まない蒸気であるので、復水した水は浄水となる。また、凝縮空間Ｇにおいて、送給通路１００を複数の送給管１０３で構成したので、処理水と水蒸気とが混合せず、そのため、復水した水は確実に浄水となる。この浄水を、浄水取出部９０から取り出すことにより、処理水から浄水を得ることができる。また、供給通路１１０を通過する水蒸気は、処理水貯留槽３０においてその量が増加させられているので、凝縮空間Gに供給される水蒸気の量が増加し、そのため、浄水を大量に得ることができる。
【００４４】
一方、蒸気タービン８０の作動によって駆動される吸引ポンプ５３により、供給通路１１０を通過している水蒸気は、吸引されて送出通路５０を通過して、加熱通路２０に送出される。このとき、処理水貯留槽３０において、水蒸気の量が増加させられているので、水蒸気が、供給通路１１０と送出通路５０とに分岐して通過しても蒸気タービン８０を確実に作動させることができる。また、例えば、吸引ポンプ５３の外部にモータを設ける等して、蒸気タービン８０と吸引ポンプ５３とを別に夫々作動させた場合、吸引ポンプ５３の吸引力によっては、必要以上に送出通路５０に水蒸気が吸引されることがあり、そのため、蒸気タービン８０に供給される水蒸気の量が減少して、蒸気タービン８０の効率が低減することがあるが、蒸気タービン８０によって吸引ポンプ５３を駆動させることにより、確実に蒸気タービン８０の効率を維持することができる。また、吸引ポンプ５３の外部にモータを設けた場合と比較して、装置を比較的簡易に構成することができる。
【００４５】
送出通路５０から加熱通路２０に送出された水蒸気は、加熱手段７０によって加熱される。加熱通路２０内には加熱管７２が設けられており、この加熱管７２内を高温の気体が通過しているので、加熱管７２内の気体と水蒸気とが熱交換を行なって、水蒸気は加熱される。加熱管７２に気体を流入させることにより、気体と水蒸気とが混合することなく熱交換を行なうことができるようになる。
【００４６】
加熱通路２０で加熱された水蒸気は、分離空間Ｂに噴出される。分離塔１には、壁部単体４間の間隙で形成された孔部３と加熱管７２とで多数の小孔７が形成されており、この小孔７から水蒸気が噴出させられるので、噴出圧力が高くなり、そのため、分離空間Ｂでの水蒸気と処理水との熱交換効率が向上される。また、壁部単体４を内側の加熱管７２に固定したので、分離塔１の加熱がより確実に行なわれるようになる。
【００４７】
また、処理水貯留槽３０において、水蒸気とならずに貯留されたままの処理水は、流通口部３１から分離空間Ｂに流出される。詳しくは、処理水貯留槽３０に貯留された処理水は、第一筒状体３６の外側面と第二筒状体３８の内側面との間を通過し、第一筒状体３６の上側から第一筒状体３６の内部を通過して分離空間Ｂに送られる。即ち、第一筒状体３６及び第二筒状体３８で形成される流路を通過した処理水のみが分離空間Ｂに送られるので、常に、一定量の処理水が分離空間Ｂに送られるようになる。
【００４８】
そして、流通口部３１から流出された処理水は、散布部４０によって分離空間Ｂに散布され、加熱通路２０から噴出される水蒸気と熱交換して加熱される。散布部４０は、処理水貯留槽３０の直下に設けられているので、処理水貯留槽３０から送られる処理水を確実に散布部４０で散布できるようになる。また、板に多数の小口４１を設けたので、散布される処理水は、水滴状になり、水蒸気と接する面積が大きくなるので、それだけ、水蒸気と処理水との熱交換効率が向上される。
【００４９】
加熱された処理水は、散布部４０近傍で水蒸気と残物とに分離される。分離された水蒸気は、上昇していき、処理水貯留槽３０に貯留されている処理水に流入される。また、加熱通路２０から分離空間Ｂに噴出された水蒸気は、処理水と熱交換して低温となって処理水貯留槽３０に流入される。このように、分離空間Ｂ及び処理水貯留槽３０で処理水と熱交換して低温となった水蒸気は、供給通路１１０及び送出通路５０を通過して加熱通路２０に送出され、この加熱通路２０において加熱されて分離空間Ｂに噴出される。即ち、水蒸気は、分離空間Ｂ，供給通路１１０，送出通路５０及び加熱通路２０を循環するようになり、この循環によって、水蒸気の加熱及びこの加熱された水蒸気と処理水との熱交換が繰り返される。
【００５０】
一方、分離された残物は、分離塔１の下部６に形成される残物取出部６０に向けて降下していく。この降下中も残物と水蒸気との熱交換が行なわれ、噴出された水蒸気はその熱量が高いので、最後には残物から水分が除去され、粒状の残物となる。詳しくは、水蒸気は、加熱通路２０において熱量が高くなり、加熱通路２０の下端２３側から上端２１側に向けて上昇していくようになるので、加熱通路２０から分離空間Ｂに噴出される水蒸気は、分離空間Ｂにおいて、下側から吹き上げるようになる。即ち、分離空間Ｂにおいて、水蒸気と処理水との進行方向が逆になるので、水蒸気と処理水との熱交換効率が向上させられ、処理水の水分をより除去できるようになる。また、水蒸気を吹き上げているので、その風圧により、処理水の降下速度が遅くなるとともに処理水がより細分化されるので、この点でも、水蒸気と処理水との熱交換効率が向上させられ、処理水の水分をより除去できるようになる。
【００５１】
水分が除去されて粒状となった残物は、分離塔１の下部６に集められる。このとき、残物取出部６０の受け体６１を、ロート状に形成しているので、分離空間Ｂで分離された残物が受け体６１によって確実に残物取出口６２に集束されるようになる。残物取出部６０の先端には、ネジ型ポンプ６３が設けられているので、集束された残物を残物取出口６２から確実に取り出すことができる。また、残物取出口６２を小径に形成しているので、残物取出口６２から分離空間Ｂに外気が流入することが抑制され、そのため、分離空間Ｂの温度が下がることを防止することができる。
【００５２】
ここで、粒状となった残物とは、粒状の塩であるので、この粒状の塩を残物取出部６０から取り出すことにより、粒状の塩を直接生成することができる。また、供給通路１１０を通過する水蒸気は、処理水貯留槽３０においてその量が増加させられているので、分離空間Ｂに大量の水蒸気を噴出させることができ、そのため、処理水を分離空間Ｂに大量に送給しても処理水を分離することができるので、浄水及び塩を大量に得ることができる。
【００５３】
図５には、本発明の第二の実施の形態に係る浄水装置Ｓを示している。これは、処理水貯留槽３０を、覆体３９の天板３７に貫通孔１２１を形成し、貫通孔１２１の開口縁１２２に上側に開放口１２３を有し流通口部３１から流通される水蒸気を供給通路１１０に至らしめる筒状の蒸気通路管１２０を設け、蒸気通路管１２０の内部に開度調整可能なダンパ１２４を設け、第一筒状体３６の外側に遊嵌し第一筒状体３６との間に処理水の隘路１２５を形成する外側筒状体１２６を設けて構成している。第二の実施の形態においては、処理水として塩水を用い、塩水を水蒸気と残物としての塩とに分離し、その後、水蒸気を凝縮して浄水を得ている。
【００５４】
分離空間Ｂから処理水貯留槽３０に流入された水蒸気は、蒸気通路管１２０を通過して供給通路１１０に送られるようになる。ダンパ１２４が開のときは、分離空間Ｂから流入される水蒸気は、貯留されている処理水を通らずに蒸気通路管１２０の開放口１２３から供給通路１１０に送られる。この場合、処理水として塩水を用いているので、貯留されている処理水内を水蒸気が通過すると、塩化物以外のミネラル成分が除去されるが、ダンパ１２４を通すことで、蒸気に塩化物以外のミネラル成分を混入させることができ、そのため、塩化物以外のミネラル成分の入った浄水を得ることができる。また、ダンパ１２４が閉のときは、分離空間Ｂから流入される水蒸気は、第一筒状体３６及び第二筒状体３８で形成される流路を通過するようになるので、水蒸気と処理水との熱交換が行なわれるようになり、そのため、供給通路１１０での水蒸気の量を増加させることができ、浄水を大量に得ることができる。即ち、得られる浄水の量を多くする場合や得られる浄水の成分を考慮する場合等によって、分離された水蒸気の通路を変えることができるので、装置Ｓの汎用性を向上させることができる。更に、処理水貯留槽３０に貯留されている処理水は、第一筒状体３６と外側筒状体１２６とで形成される隘路１２５を通過して分離空間Ｂに流出されるようになるので、常時一定量の処理水を分離空間に流出させることができる。
その他の構成，作用，効果は、上記第一の実施の形態と同様である。
【００５５】
図６には、本発明の第三の実施の形態に係る浄水装置Ｓを示している。これは、処理水が送給され送給された処理水を加熱蒸発させて水蒸気と残物とに分離させる分離空間Ｂと、分離空間Ｂで分離された残物を取出す残物取出部６０と、分離空間Ｂを加熱する加熱手段７０と、分離空間Ｂで分離された水蒸気を凝縮して浄水にする凝縮空間Ｇと、凝縮空間Ｇで凝縮された浄水を取出す浄水取出部９０と、処理水を分離空間Ｂに送給する送給通路１００と、分離空間Ｂで分離された水蒸気を凝縮空間Ｇに供給する供給通路１１０と、分離空間Ｂを構成し上部が供給通路１１０に連通し下部が残物取出部６０として構成される筒状の分離塔１と、分離空間Ｂと供給通路１１０との間に設けられ送給通路１００から送給される処理水を一時的に貯留するとともに分離空間Ｂで分離された水蒸気を流入させて供給通路１１０に至らしめる流通口部３１を有した処理水貯留槽３０と、処理水貯留槽３０の処理水を分離空間Ｂに散布する散布部４０とを備えて構成されている。第三の実施の形態においては、処理水として、例えば、洗濯後等に排出される汚水を用い、汚水を水蒸気と残物とに分離し、その後、水蒸気を凝縮して浄水を得ている。
【００５６】
加熱手段７０は、高温の気体を発生させる気体発生装置７１で構成されている。気体発生装置７１は、例えば、バーナー等で構成され、分離塔１の外壁に設けられている。
分離塔１は、円筒状に形成され、残物取出部６０として構成される下部６がロート状に形成されている。この分離塔１は、その内部が分離空間Ｂとして構成されている。この分離塔１には、気体発生装置７１からの気体を分離空間Ｂに流入させる気体流入口８が形成されている。
【００５７】
散布部４０は、処理水を散布する多数の小口４１を有した如雨露口４２と、一端が分離塔１に接続され、他端が如雨露口４２を形成する散布管４３とを備えて構成されている。散布管４３の一端は、分離塔１の外壁から処理水貯留槽３０に連通されている。
【００５８】
また、供給通路１１０には、真空ポンプ１１１が介装されている。尚、真空ポンプ１１１は必ずしも設けなくてもよく、また、蒸気タービン８０等を設けても良い。
分離空間Ｂ，残物取出部６０，凝縮空間Ｇ，送給通路１００及び処理水貯留槽３０の構成は、上記第一の実施の形態と同様である。
【００５９】
従って、この第三の実施の形態に係る浄水装置Ｓを用いて、処理水から浄水を得るときは、以下のようにする。
処理水を、送給通路１００を通過させて分離空間Ｂに送給する。分離塔１の上部５には処理水貯留槽３０が設けられているので、送給された処理水は、処理水貯留槽３０に一時的に貯留される。このとき、処理水は、凝縮空間Ｇ内の複数の送給管１０３を通過するので、凝縮空間Ｇにおいて、蒸気タービン８０から排出される水蒸気と熱交換して、その温度が高くなる。また、送給通路１００に介装された水量調節装置１０１により、処理水貯留槽３０に送給される処理水の量が調節されるので、処理水貯留槽３０に適量の処理水を送給することができ、そのため、処理水貯留槽３０から処理水が溢水することがない。    
【００６０】
処理水貯留槽３０では、分離空間Ｂで分離された水蒸気が流入され、この水蒸気によって貯留された処理水が加熱される。このとき、水蒸気は、処理水貯留槽３０の第一筒状体３６及び第二筒状体３８で形成される流路を通過するので、水蒸気が確実に貯留された処理水内を通るようになり、処理水貯留槽３０において、水蒸気と処理水との熱交換が確実に行なわれるようになる。
【００６１】
処理水貯留槽３０で加熱された処理水は一部の処理水が水蒸気となって供給通路１１０に至らしめられ、分離空間Ｂから処理水貯留槽３０に貯留された処理水に流入された水蒸気も処理水内を通って供給通路１１０に至らしめられるので、供給通路１１０に送られる水蒸気の量が増加する。供給通路１１０に至らしめられた水蒸気は、凝縮空間Ｇに送られ、この凝縮空間Ｇで凝縮されて復水する。詳しくは、凝縮空間Ｇ内に設けられている送給管１０３内を通過している低温の処理水と水蒸気とが熱交換を行なって、水蒸気は冷却凝縮される。凝縮空間Ｇに送られる水蒸気は、残物を含まない蒸気であるので、復水した水は浄水となる。また、凝縮空間Ｇにおいて、送給通路１００を複数の送給管１０３で構成したので、処理水と水蒸気とが混合せず、そのため、復水した水は確実に浄水となる。この浄水を、浄水取出部９０から取り出すことにより、処理水から浄水を得ることができる。また、供給通路１１０を通過する水蒸気は、処理水貯留槽３０においてその量が増加させられているので、凝縮空間Ｇに供給される水蒸気の量が増加し、そのため、浄水を大量に得ることができる。
【００６２】
また、分離空間Ｂ内は、加熱手段７０によって加熱される。分離塔１の外壁に設けられている気体発生装置７１で発生させられた高温の気体が、分離塔１の気体流入口８から分離空間Ｂに噴出して流入され、この気体によって分離空間Ｂは加熱される。
【００６３】
一方、処理水貯留槽３０において、水蒸気とならずに貯留されたままの処理水は、流通口部３１から分離空間Ｂに流出される。詳しくは、処理水貯留槽３０に貯留された処理水は、散布管４３に流入し、如雨露口４２の小口４１から分離空間Ｂに散布される。散布された処理水は、気体発生装置７１で発生させられた気体と熱交換して加熱される。如雨露口４２に多数の小口４１を設けたので、散布される処理水は、水滴状になり、気体と接する面積が大きくなるので、それだけ、気体と処理水との熱交換効率が向上される。
【００６４】
加熱された処理水は、散布部４０近傍で水蒸気と残物とに分離される。分離された水蒸気は、上昇していき、処理水貯留槽３０に貯留されている処理水に流入される。また、気体発生装置７１から分離空間Ｂに噴出された気体は、処理水と熱交換して処理水貯留槽３０に流入される。このとき、気体発生装置７１で発生させられた気体に、例えば、カーボン成分が含有していた場合等は、処理水貯留槽３０に貯留されている処理水に流入させることで、カーボン成分を除去でき、そのため、供給通路１１０に送られる気体を凝縮することで浄水を得ることができる。
【００６５】
一方、分離された残物は、分離塔１の下部６に形成される残物取出部６０に向けて降下していく。この降下中も残物と水蒸気との熱交換が行なわれ、噴出された気体はその熱量が高いので、最後には残物から水分が除去される。水分が除去された残物は、分離塔１の下部６に集められる。このとき、残物取出部６０の受け体６１を、ロート状に形成しているので、分離空間Ｂで分離された残物が受け体６１によって確実に残物取出口６２に集束されるようになる。この残物取出口６２から残物を取り出している。また、残物取出口６２を小径に形成しているので、残物取出口６２から分離空間Ｂに外気が流入することが抑制され、そのため、分離空間Ｂの温度が下がることを防止することができる。
【００６６】
図７には、本発明の第四の実施の形態に係る浄水装置Ｓを示している。これは、後述の洗濯システムＣに関する浄水装置Ｓである。先ず、浄水装置Ｓについて説明する。本浄水装置Ｓは、処理水が送給され送給された処理水を加熱蒸発させて水蒸気と残物とに分離させる分離空間Ｂと、分離空間Ｂで分離された残物を取出す残物取出部６０と、分離空間Ｂを加熱する加熱手段７０と、分離空間Ｂで分離された水蒸気により作動させられる蒸気タービン８０と、分離空間Ｂで分離された水蒸気を凝縮して浄水にする凝縮空間Ｇと、凝縮空間Ｇで凝縮された浄水を取出す浄水取出部９０と、処理水を分離空間Ｂに送給する送給通路１００と、分離空間Ｂで分離された水蒸気を凝縮空間Ｇに供給する供給通路１１０と、分離空間Ｂを構成し上部が供給通路１１０に連通し下部６が残物取出部６０として構成される筒状の分離塔１と、分離空間Ｂと供給通路１１０との間に設けられ送給通路１００から送給される処理水を一時的に貯留するとともに分離空間Ｂで分離された水蒸気を流入させて供給通路１１０に至らしめる流通口部３１を有した処理水貯留槽３０と、処理水貯留槽３０の処理水を分離空間Ｂに散布する散布部４０と、処理水貯留槽３０と供給通路１１０との間に処理水貯留槽３０から発生する水蒸気を洗浄する蒸気洗浄部１３０と、水蒸気が凝縮した浄水を貯留するとともに蒸気洗浄部１３０に浄水を送水する浄水タンク１４０と、洗濯システムＣから排出される汚水を貯留する汚水タンク１５０と、凝縮空間Ｇで凝縮された浄水が送水され蒸気タービン８０から排出された水蒸気により浄水を加熱して凝縮空間Ｇに送る循環タンク１６０とを備えて構成されている。処理水として、洗濯システムＣから排出される汚水を用い、汚水を水蒸気と残物とに分離し、その後、水蒸気を凝縮して浄水を得ている。
【００６７】
分離塔１は、円筒状に形成され、下部６が残物取出部６０として構成されている。この分離塔１の内部は、分離空間Ｂとして構成されている。この分離塔１には、気体発生装置７１からの気体を分離空間Ｂに流入させる気体流入口８が形成されている。
また、残物取出部６０は、ロート状に形成された受け体６１と、受け体６１の中央部に折り返し形成された山形の突出部６１ａとを備えて構成されている。受け体６１の下端には、残物取出口６２が複数設けられている。受け体６１の下部には、残物取出部６０からの残物を受ける容器６６が設けられているとともに、この容器６６の外側には、容器６６中央の出口６６ａから流出した残物を貯留する残物貯留槽６７が設けられている。符号６８は、残物貯留槽６７から残物を取り出す取出口である。容器６６には、容器６６内の残物との熱交換を行なう螺旋状の水道水管６４が設けられている。この水道水管６４は、凝縮空間Ｇに接続されており、凝縮空間Ｇで生成される浄水の不足分を補給する浄水を送水するものである。
【００６８】
処理水貯留槽３０は、円柱状に形成され、分離塔１の上部５に、分離塔１と同軸に設けられ、上側が供給通路１１０に連通されている。この処理水貯留槽３０は、その底部３２に貫通口３３が形成され、この貫通口３３の開口縁３４に上側に開放口３５を有した第一筒状体３６が設けられ、第一筒状体３６の開放口３５に対峙する天板３７及び天板３７から垂下し第一筒状体３６の外側面に対峙する第二筒状体３８を有したカップ状の覆体３９が設けられている。また、流通口部３１は、貫通口３３の第一筒状体３６及び第二筒状体３８で形成される流路で構成されている。
散布部４０は、処理水貯留槽３０の直下に設けられ、処理水を散布する多数の小口４１を有した板で構成されている。
【００６９】
加熱手段７０は、高温の気体を発生させる気体発生装置７１で構成されている。気体発生装置７１は、例えば、バーナー等で構成され、分離塔１の外壁に設けられている。
送給通路１００は、凝縮空間Ｇ内を通過して設けられている。凝縮空間Ｇ内には、送給通路１００を構成する複数の送給管１０３が設けられており、処理水は、この送給管１０３を通して送給されている。また、凝縮空間Ｇの下方部１０４には、凝縮した浄水を取り出す浄水取出部９０が設けられている。更に、この送給通路１００には、第一汚水タンク１５０及び第二汚水タンク１５２が介装されている。
【００７０】
蒸気洗浄部１３０は、浄水が供給されて一時的に貯留するとともに処理水貯留槽３０からの水蒸気を流出させて供給通路１１０に至らしめる流通口部１３２を有した洗浄槽１３１で構成されている。この洗浄槽１３１は、その底部１３３に貫通口１３４が形成され、この貫通口１３４の開口縁１３４ａに上側に開放口１３５を有した第一筒状体１３６が設けられ、第一筒状体１３６の開放口１３５に対峙する天板１３７及び天板１３７から垂下し第一筒状体１３６の外側面に対峙する第二筒状体１３８を有したカップ状の覆体１３９が設けられている。また、流通口部１３２は、貫通口１３４の第一筒状体１３６及び第二筒状体１３８で形成される流路で構成されている。この洗浄槽１３１は複数段設けられている。実施の形態では、処理水貯留槽３０の直上に設けられる第一洗浄槽１３１ａと、第一洗浄槽１３１ａの直上に設けられる第二洗浄槽１３１ｂとの２段設けられている。更に、洗浄槽１３１に浄水タンク１４０から浄水を給水する給水管１４１が設けられている。
また、浄水タンク１４０は、凝縮空間Ｇ内の水蒸気が管路１４２を通って流入されるとともに浄水取出部９０から管路１４３を通って浄水が送水され、水蒸気によって浄水が加熱される。浄水タンク１４０内には、温度センサ１４４が設けられており、この温度センサ１４４によって水の温度を一定に保持している。
【００７１】
従って、この第四の実施の形態に係る浄水装置Ｓを用いて、処理水から浄水を得るときは、以下のようにする。
洗濯システムＣから排出された処理水は、第一汚水タンク１５０及びこの第一汚水タンク１５０に連通した第二汚水タンク１５２に貯留され、ポンプ１５３により送給通路１００を通して分離空間Ｂに送給される。分離塔１の上部５には処理水貯留槽３０が設けられているので、送給された処理水は、処理水貯留槽３０に一時的に貯留される。このとき、処理水は、凝縮空間Ｇ内の複数の送給管１０３を通過するので、凝縮空間Ｇにおいて、蒸気タービン８０から排出される水蒸気と熱交換して、その温度が高くなる。処理水貯留槽３０では、分離空間Ｂで分離された水蒸気が流入され、この水蒸気によって貯留された処理水が加熱される。このとき、水蒸気は、処理水貯留槽３０の第一筒状体３６及び第二筒状体３８で形成される流路を通過するので、水蒸気が確実に貯留された処理水内を通るようになり、処理水貯留槽３０において、水蒸気と処理水との熱交換が確実に行なわれるようになる。
【００７２】
処理水貯留槽３０で加熱された処理水は一部の処理水が水蒸気となって第一洗浄槽１３１ａに至らしめられ、分離空間Ｂから処理水貯留槽３０に貯留された処理水に流入された水蒸気も処理水内を通って第一洗浄槽１３１ａに至らしめられるので、第一洗浄槽１３１ａに送られる水蒸気の量が増加する。そして、処理水貯留槽３０から流通口部１３２を通って第一洗浄槽１３１ａに流入された水蒸気は、第一洗浄槽１３１ａにおいて、貯留された浄水によって洗浄されるとともに、この水蒸気によって貯留された浄水が加熱される。加熱された浄水は一部の浄水が水蒸気となって第二洗浄槽１３１ｂに至らしめられ、貯留された浄水に処理水貯留槽３０から流入された水蒸気も浄水内を通って第二洗浄槽１３１ｂに至らしめられるので、第二洗浄槽１３１ｂに流出される水蒸気の量が増加する。そして、第二洗浄槽１３１ｂに流入された水蒸気は、第二洗浄槽１３１ｂにおいて、貯留された浄水によって更に洗浄されるとともに、この水蒸気によって貯留された浄水が加熱される。加熱された浄水は一部の浄水が水蒸気となって供給通路１１０に至らしめられ、貯留された浄水に第一洗浄槽１３１ａから流入された水蒸気も浄水内を通って供給通路１１０に至らしめられるので、供給通路１１０に流出される水蒸気の量が増加する。また、第一洗浄槽１３１ａ及び第二洗浄槽１３１ｂには、浄水タンク１４０から給水管１４１を通って浄水が給水されているので、処理水貯留槽３０の処理水が洗剤等の泡を発生する成分を含む場合、この泡を発生する成分を洗浄できるので、水蒸気を綺麗にすることができる。
【００７３】
供給通路１１０に至らしめられた水蒸気は、供給通路１１０を通過して蒸気タービン８０に供給され、この水蒸気によって蒸気タービン８０は作動させられる。そして、蒸気タービン８０で排出された水蒸気は、凝縮空間Ｇに送られ、この凝縮空間Ｇで凝縮されて復水する。詳しくは、排出された水蒸気は、先ず、循環タンク１６０に送られる。この循環タンク１６０には、浄水取出部９０からポンプ１５６により管路１５５及びこれから分岐した管路１６１を通して送給される浄水が貯留されている。この循環タンク１６０には、浄水が貯留されているので、水蒸気により浄水が加熱蒸発させられて一部の浄水が水蒸気となり、負圧ポンプ１５４によって吸引されて凝縮空間Ｇに送られる。そのため、負圧沸騰により水蒸気の量が増加する。また、蒸気タービン８０の出力も増加させられる。そして、凝縮空間Ｇ内に設けられている送給管１０３内を通過している低温の処理水と循環タンク１６０から送られた水蒸気とが熱交換を行なって、水蒸気は冷却凝縮される。凝縮空間Ｇに送られる水蒸気は、残物を含まない蒸気であるので、復水した水は浄水となる。また、凝縮空間Ｇにおいて、送給通路１００を複数の送給管１０３で構成したので、処理水と水蒸気とが混合せず、そのため、復水した水は確実に浄水となる。この浄水を、浄水取出部９０から取り出すことにより、処理水から浄水を得ることができる。また、供給通路１１０を通過する水蒸気は、処理水貯留槽３０及び循環タンク１６０においてその量が増加させられているので、凝縮空間Ｇに供給される水蒸気の量が増加し、そのため、浄水を大量に得ることができる。また、水蒸気は、第一洗浄槽１３１ａ及び第二洗浄槽１３１ｂにおいて、第一筒状体１３６及び第二筒状体１３８で形成される流路を通過するようになるので、水蒸気が確実に貯留された浄水内を通るようになり、そのため、水蒸気と浄水との熱交換及び水蒸気の洗浄が確実に行なわれるようになる。一方、浄水取出部９０から取り出した浄水は、管路１５５から分岐した管路１４３を通って浄水タンク１４０にも送水されるとともに、管路１５５から分岐した管路１８９を通って洗濯システムＣにも送られる。
【００７４】
また、分離空間Ｂ内は、加熱手段７０によって加熱される。分離塔１の外壁に設けられている気体発生装置７１で発生させられた高温の気体が、分離塔１の気体流入口８から分離空間Ｂに噴出して流入され、この気体によって分離空間Ｂは加熱される。
【００７５】
一方、処理水貯留槽３０において、水蒸気とならずに貯留されたままの処理水は、流通口部３１から分離空間Ｂに流出される。詳しくは、処理水貯留槽３０に貯留された処理水は、第一筒状体３６の外側面と第二筒状体３８の内側面との間を通過し、第一筒状体３６の上側から第一筒状体３６の内部を通過して分離空間Ｂに送られる。即ち、第一筒状体３６及び第二筒状体３８で形成される流路を通過した処理水のみが分離空間Ｂに送られるので、常に、一定量の処理水が分離空間Ｂに送られるようになる。そして、流通口部３１から流出された処理水は、散布部４０によって分離空間Ｂに散布され、気体発生装置７１で発生させられた気体と熱交換して加熱される。散布部４０は、処理水貯留槽３０の直下に設けられているので、処理水貯留槽３０から送られる処理水を確実に散布部４０で散布できるようになる。また、板に多数の小口４１を設けたので、散布される処理水は、水滴状になり、気体と接する面積が大きくなるので、それだけ、気体と処理水との熱交換効率が向上される。
【００７６】
加熱された処理水は、散布部４０近傍で水蒸気と残物とに分離される。分離された水蒸気は、上昇していき、処理水貯留槽３０に貯留されている処理水に流入される。また、気体発生装置７１から分離空間Ｂに噴出された気体は、処理水と熱交換して処理水貯留槽３０に流入される。このとき、気体発生装置７１で発生させられた気体に、例えば、カーボン成分が含有していた場合等は、処理水貯留槽３０に貯留されている処理水に流入させることで、カーボン成分を除去でき、そのため、供給通路１１０に送られる気体を凝縮することで浄水を得ることができる。
【００７７】
一方、分離された残物は、分離塔１の下部６に形成される残物取出部６０に向けて降下していく。この降下中も残物と水蒸気との熱交換が行なわれ、泥状の残物となって、分離塔１の下部６に集められ、残物取出口６２から容器６６を介して残物貯留槽６７に貯留されていく。容器６６においては、残物は、水道水管６４を通る水道水と熱交換して冷却される。また、残物と熱交換して加熱された水道水は、凝縮空間Ｇに送られるとともに、管路６５を通って洗濯システムＣに送られる。
【００７８】
次に、洗濯システムＣについて説明する。この洗濯システムＣは、洗濯物が入れられて洗濯物を洗濯する複数の洗濯槽１７０と、洗濯槽１７０に洗濯水を送る洗濯水貯留槽１８０とを備えて構成されている。洗濯槽１７０は、蒸気タービン８０に連結した発電機１７６によって得られる電力で作動させられ、洗い及びすすぎを行なう運転工程と、運転工程後の洗濯物を脱水する脱水工程と、脱水工程後の洗濯物を乾燥させる乾燥工程とをとりうる。実施の形態では、この洗濯槽１７０は、５つ設けられている。洗濯水貯留槽１８０は、第一洗浄槽１３１ａから送水される水（洗剤）を貯留するとともに洗濯槽１７０に切替バルブ群１７１〜１７５を介して水を送水する第一洗濯水貯留槽１８１と、第二洗浄槽１３１ｂから送水される水（洗剤）を貯留するとともに洗濯槽１７０に切替バルブ群１７１〜１７５を介して水を送水する第二洗濯水貯留槽１８２と、凝縮空間Ｇから管路１８９を通して送水される浄水を貯留するとともに洗濯槽１７０に切替バルブ群１７１〜１７５を介して水を送水する第三洗濯水貯留槽１８３と、凝縮空間Ｇから送水される浄水を貯留して第三洗濯水貯留槽１８３よりも低温に保温するとともに洗濯槽１７０に切替バルブ群１７１〜１７５を介して水を送水する第四洗濯水貯留槽１８４と、凝縮空間Ｇから送水される浄水及び水道水管６４から送水される水道水を貯留して第四洗濯水貯留槽１８４よりも低温に保温するとともに洗濯槽１７０に切替バルブ群１７１〜１７５を介して水を送水する第五洗濯水貯留槽１８５とを備えてなる。
【００７９】
第一洗浄槽１３１ａでは、分離空間Ｂで残物が除去され処理水貯留槽３０で洗浄された水蒸気を洗浄しており、この水蒸気は泡を発生させる成分を含んだ蒸気であるので、第一洗濯水貯留槽１８１には、泡を発生させる成分を含んだ水、所謂石鹸水が送水される。この石鹸水は、第一洗浄槽１３１ａから管路１８７を通って第一洗濯水貯留槽１８１に送水される。
第二洗浄槽１３１ｂでは、第一洗浄槽１３１ａで洗浄された水蒸気を更に洗浄しており、この水蒸気も泡を発生させる成分を含んだ蒸気であるので、第二洗濯水貯留槽１８２には、第一洗濯水貯留槽１８１に送水される石鹸水よりも薄い石鹸水が送水される。この石鹸水は、第二洗浄槽１３１ｂから管路１８８を通って第二洗濯水貯留槽１８２に送水される。
第三洗濯水貯留槽１８３には、泡を発生させる成分を含まない浄水が送水される。この浄水は、凝縮空間Ｇの浄水取出部９０から管路１８９ａを通って第三洗濯水貯留槽１８３に送水される。
第四洗濯水貯留槽１８４には、第三洗濯水貯留槽１８３と同じ浄水が送水される。この浄水は、凝縮空間Ｇの浄水取出部９０から管路１８９ｂを通って第四洗濯水貯留槽１８４に送水される。
第五洗濯水貯留槽１８５には、第三洗濯水貯留槽１８３，第四洗濯水貯留槽１８４と同じ浄水及び水道水が送水される。浄水は凝縮空間Ｇの浄水取出部９０から管路１８９ｃを通って第五洗濯水貯留槽１８５に送水され、水道水は水道水管６４から管路６５を通って第五洗濯水貯留槽１８５に送水される。
【００８０】
各洗濯水貯留槽１８０には、凝縮空間Ｇ内の水蒸気が管路１４２を通って流入され、この水蒸気によって各洗濯水貯留槽１８０内の水が加熱される。各洗濯水貯留槽１８０内には、温度センサ１８６が設けられており、この温度センサ１８６によって水の温度を一定に保持している。
【００８１】
従って、この洗濯システムCを用いて、洗濯物を洗濯するときは、以下のようにする。
各洗濯槽１７０に洗濯物を入れ、蒸気タービン８０から得られる動力によって各洗濯槽１７０を作動させる。運転工程により、洗濯物の洗いが行なわれる。先ず、第一洗濯水貯留槽１８１に貯留されている石鹸水が各洗濯槽１７０に送水され、この石鹸水によって洗濯物が洗われる。洗い終了後、脱水工程により脱水される。このとき、使用された石鹸水は、汚水となってポンプ１７７により管路１５１を通って汚水タンク１５０に送水される。次に、第二洗濯水貯留槽１８２に貯留されている石鹸水が各洗濯槽１７０に送水され、この石鹸水によって洗濯物が洗われる。第二洗濯水貯留槽１８２に貯留されている石鹸水で洗うことにより洗濯物を更に綺麗にすることができる。洗い終了後、脱水工程により脱水される。このときも、使用された石鹸水は、汚水となってポンプ１７７により管路１５１を通って汚水タンク１５０に送水される。
【００８２】
次に、洗濯物のすすぎが行なわれる。第三洗濯水貯留槽１８３に貯留されている浄水が各洗濯槽１７０に送水され、この浄水によって洗濯物のすすぎが行なわれる。すすぎ終了後、脱水工程により脱水される。このとき、使用された浄水は、汚水となってポンプ１７７により管路１５１を通って汚水タンク１５０に送水される。
次に、第四洗濯水貯留槽１８４に貯留されている浄水によって洗濯物のすすぎ及び脱水が行なわれ、次いで第五洗濯水貯留槽１８５に貯留されている浄水によって洗濯物のすすぎ及び脱水が行なわれる。このときも、使用された浄水は、汚水となってポンプ１７７により管路１５１を通って汚水タンク１５０に送水される。
【００８３】
洗濯物の洗い，すすぎ及び脱水が終了したら、洗濯物を乾燥させる。この場合、乾燥により生じる蒸気は、ポンプ１７８により、管路１７９を通って浄水タンク１４０に供給され、浄水の加温に供される。このようにして、洗濯物が洗濯される。
【００８４】
尚、上記第一の実施の形態において、分離塔１の壁部２を複数の壁部単体４で構成し、孔部３を壁部単体４間の間隙で形成したが、必ずしもこれに限定されるものではなく、壁部を平面状に形成し、この壁部に孔を多数設けても良く、適宜変更して差支えない。
また、上記第一の実施の形態において、加熱手段７０を気体発生装置７１と加熱管７２とで構成したが、必ずしもこれに限定されるものではなく、加熱通路を加熱できれば良く、適宜変更して差支えない。
更に、上記第一の実施の形態において、送給通路１００を、凝縮空間Ｇ内を通過させて設けたが、必ずしもこれに限定されるものではなく、通過させなくても良く、適宜変更して差支えない。
更にまた、上記第一の実施の形態において、吸引ポンプ５３を蒸気タービン８０によって駆動させたが、必ずしもこれに限定されるものではなく、吸引ポンプの外部にモータを設け、このモータにより吸引ポンプを駆動させても良く、適宜変更して差支えない。
【図面の簡単な説明】
【００８５】
【図１】本発明の第一の実施の形態に係る浄水装置を示す図である。
【図２】本発明の第一の実施の形態に係る加熱通路を示す一部拡大斜視図である。
【図３】本発明の第一の実施の形態に係る分離空間及び加熱通路示す断面図である。
【図４】本発明の第一の実施の形態に係る処理水貯留槽を示す斜視図である。
【図５】本発明の第二の実施の形態に係る浄水装置を示す一部拡大図である。
【図６】本発明の第三の実施の形態に係る浄水装置を示す図である。
【図７】本発明の第四の実施の形態に係る浄水装置を示す図である。
【図８】従来の浄水装置の一例を示す図である。
【符号の説明】
【００８６】
Ｓ  浄水装置
Ｂ  分離空間
Ｇ  凝縮空間
Ｃ  洗濯システム
１  分離塔
２  壁部
３  孔部
４  壁部単体
５  上部
６  下部
７  小孔
８  気体流入口
１０  外塔
１１  底壁
１２  下端部
１３  脚部
２０  加熱通路
２１  上端
２２  排出口
２３  下端
３０  処理水貯留槽
３１  流通口部
３２  底部
３３  貫通口
３４  開口縁
３５  開放口
３６  第一筒状体
３７  天板
３８  第二筒状体
３９  覆体
４０  散布部
４１  小口
４２  如雨露口
４３  散布管
５０  送出通路
５１  一端
５２  他端
５３  吸引ポンプ
６０  残物取出部
６１  受け体
６２  残物取出口
６３  ネジ型ポンプ
６４  水道水管
７０  加熱手段
７１  気体発生装置
７２  加熱管
７３  入口
７４  出口
８０  蒸気タービン
９０  浄水取出部
１００  送給通路
１０１  水量調節装置
１０２  リリーフ弁
１０３  送給管
１０４  下方部
１１０  供給通路
１１１  真空ポンプ
１２０  蒸気通路管
１２１  貫通孔
１２２  開口縁
１２３  開放口
１２４  ダンパ
１２５  隘路
１２６  外側筒状体
１３０  蒸気洗浄部
１３１  洗浄槽
１３１ａ  第一洗浄槽
１３１ｂ  第二洗浄槽
１３２  流通口部
１３３  底部
１３４  貫通口
１３４ａ  開口縁
１３５  開放口
１３６  第一筒状体
１３７  天板
１３８  第二筒状体
１３９  覆体
１４０  浄水タンク
１４１  給水管
１４４  温度センサ
１５０  第一汚水タンク
１５２  第二汚水タンク
１５４  負圧ポンプ
１６０  循環タンク
１７０  洗濯槽
１８０  洗濯水貯留槽
１８１  第一洗濯水貯留槽
１８２  第二洗濯水貯留槽
１８３  第三洗濯水貯留槽
１８４  第四洗濯水貯留槽
１８５  第五洗濯水貯留槽
１８６  温度センサ
【図１】
2009189959.tif 000003
【図２】
2009189959.tif 000004
【図３】
2009189959.tif 000005
【図４】
2009189959.tif 000006
【図５】
2009189959.tif 000007
【図６】
2009189959.tif 000008
【図７】
2009189959.tif 000009
【図８】
2009189959.tif 000010